(57)【要約】      （修正有）【課題】鞘管の材質を問わずに鞘管内の結氷をねじ溝内も含めて簡単な操作で、短時間で確実に除去することができる鞘管内の結氷除去具を提供する。【解決手段】結氷除去具１を構成する円筒状の支持体２には、軸方向一側に回転治具に着脱するためのトルク掛け軸４が突設し、支持体２の軸方向他側にトルク掛け軸４と一体回転する削氷除去体６が突設し、削氷除去体６は先端側に切削刃８を形成した長方形の刃板７と、刃板７の長手方向縁に沿って設けたねじ溝掻き取り材９、９とから構成してあり、各ねじ溝掻き取り材９は弾性線材を螺旋状に成形したものからなる。【選択図】図３
2015102272.tif 000002
【特許請求の範囲】
【請求項１】
ボルトを螺挿するために内面に雌ねじを形成した鞘管内の結氷を除去するための結氷除去具であって、軸方向一側は回転治具に着脱するトルク掛け軸とし、軸方向他側は該トルク掛け軸と一体回転する削氷除去体としてなり、該削氷除去体は先端側に切削刃を形成した長方形の刃板と、該刃板の長手方向縁に沿って設けたねじ溝掻き取り材とから構成してなる鞘管内の結氷除去具。
【請求項２】
前記ねじ溝掻き取り材は、弾性線材を螺旋状に成形したものであることを特徴とする請求項１記載の鞘管内の結氷除去具。
【請求項３】
前記ねじ溝掻き取り材は、弾性線材を列設したワイヤブラシであることを特徴とする請求項1記載の鞘管内の結氷除去具。
【請求項４】
前記トルク掛け軸と削氷除去体は、支持体によって軸方向に連結してあることを特徴とする請求項１記載の鞘管内の結氷除去具。
【請求項５】
前記支持体は、先端面に削氷逃し溝を形成してあることを特徴とする請求項４記載の鞘管内の結氷除去具。
【発明の詳細な説明】
【技術分野】
【０００１】
本発明は、電柱等のポールに足場ボルトを螺挿するためにポールに埋設してある鞘管内の結氷を除去するための鞘管内の結氷除去具に関する。
【背景技術】
【０００２】
図６乃至図８に示すように、電柱５１は作業時の昇降用に足場ボルト５２を着脱可能に設けるために、奥部５３Ａが閉塞し、内面に雌ねじ５３Ｂを形成した金属製或いは合成樹脂製の鞘管５３が埋設してある。この鞘管５３は奥部５３Ａが閉塞しているため、工事前に電柱５１を地面に横置きした場合には鞘管５３内に降雨や降雪が浸入し、或いは立設している電柱５１でも吹雪で鞘管５３内に雪が吹き込むことから、寒冷地では鞘管５３内で凍結現象が生じる。
このため、足場ボルト５２を安全な深さにまで螺挿するには鞘管５３内の結氷Ｂを除去しなければならないが、結氷Ｂを確実かつ効率的に除去する技術は提案されていない。
【先行技術文献】
【特許文献】
【０００３】
【特許文献１】見出せず。
【発明の概要】
【発明が解決しようとする課題】
【０００４】
そこで、従来は鞘管５３内の結氷ＢはドライバーＤ等の棒状物で砕く作業を行っているが、この方法ではＶ字状のねじ溝内に形成されている結氷Ｂを除去することは実質的に不可能であるし、除去作業に多大な時間を要している。また、ガスバーナーＧで加熱して解凍する方法もあるが、合成樹脂製のホルダー５３にはガスバーナーＧは使用できないという問題、奥部５３Ａのねじ溝内の結氷Ｂまで解凍するには多くの時間を要するという問題がある。
【０００５】
本発明は上述した従来技術の未解決の問題点に鑑みなされたもので、鞘管の材質を問わずに鞘管内の結氷をねじ溝内も含めて簡単な操作で、短時間で確実に除去することができる鞘管内の結氷除去具を提供することを目的とする。
【課題を解決するための手段】
【０００６】
上述した課題を解決するために構成した本発明の手段は、ボルトを螺挿するために内面に雌ねじを形成した鞘管内の結氷を除去するための結氷除去具であって、軸方向一側は回転治具に着脱するトルク掛け軸とし、軸方向他側は該トルク掛け軸と一体回転する削氷除去体としてなり、該削氷除去体は先端側に切削刃を形成した長方形の刃板と、該刃板の長手方向縁に沿って設けたねじ溝掻き取り材とからなる。
【０００７】
そして、前記ねじ溝掻き取り材は、弾性線材を螺旋状に成形したものであるとよい。
【０００８】
また、前記ねじ溝掻き取り材は、弾性線材を列設したワイヤブラシでもよい。
【０００９】
更に、前記トルク掛け軸と削氷除去体は、支持体によって軸方向に連結してあるとよい。
【００１０】
また、前記支持体は、先端面に削氷逃し溝を形成するとよい。
【発明の効果】
【００１１】
（１）鞘管内の結氷は回転する切削刃で切削し、雌ねじのねじ溝内の氷はねじ溝掻き取り材で除去し、削氷は外部に排出するようにしたから、鞘管内の結氷を速やかに、かつ完全に除去することができる。これにより、鞘管内にボルトを無理なく螺挿することができるし、鞘管の材質を問わずに損壊することなく結氷を除去することができる。
（２）ねじ溝掻き取り材は弾性線材を螺旋状に成形したから、ねじ溝に沿って溝内の氷を確実に除去することができる。
（３）ねじ溝掻き取り材は弾性線材を列設したワイヤブラシに成形したから、ねじ溝に沿って溝内の氷を確実に除去することができる。
（４）トルク掛け軸と削氷除去体は支持体を介して軸方向に連結する構成にしたから、個々の構成部材の製作が容易であるし、削氷除去体が損傷、摩耗或いは劣化した場合には新しい削氷除去体に簡単に交換することができる。
（５）支持体の端面に削氷逃し溝を設けたから、削氷除去体が掻き出す削氷を円滑に外側に排出することで、鞘管の開口に滞留する事態を回避できる。
【図面の簡単な説明】
【００１２】
【図１】図１乃至図５は本発明の実施の形態に係り、図１は結氷除去具の正面図である。
【図２】結氷除去具の右側面図である。
【図３】図１中のＩＩＩ−ＩＩＩ矢示方向断面図である。
【図４】結氷除去具の使用状態を示す部分断面図である。
【図５】結氷除去具を引出した状態の説明図である。
【図６】図６乃至図８は従来技術に係り、図６は電柱と鞘管の部分断面図である。
【図７】従来の結氷除去方法の説明図である
【図８】足場ボルトによる鞘管の破損を示す説明図である。
【発明を実施するための形態】
【００１３】
以下、本発明の実施の形態を図面に基づき詳述する。図において、１は結氷除去具、２は該結氷除去具１を構成する金属製の支持体で、該支持体２は円柱体からなり、軸方向一側面２Ａの中心には六角形の挿着穴２Ｂを穿設し、該挿着穴２Ｂに直交してねじ穴２Ｃが穿設してある。また、支持体２の軸方向他側には他側面２Ｄに開口する縦溝２Ｅが直径方向に形成してあり、該縦溝２Ｅに直交してねじ穴２Ｆ、２Ｆが穿設してある。そして、支持体２の軸方向他側面２Ｄには略半円状の凹溝からなる削氷排出溝３が径方向に形成してある。
【００１４】
４は前記支持体２の挿着穴２Ｂに基端側４Ａを挿入し、先端側４Ｂを軸方向に突出させた断面六角形のトルク掛け軸を示す。該トルク掛け軸４は、例えば電動インパクト等の回転治具Ｄのチャックに締着して回転が伝達されるようにするためのものである。そして、トルク掛け軸４は前記ねじ穴２Ｃに螺入した止ねじ５によって支持体２に固定されて軸方向の抜け止めがなされている。
【００１５】
６は軸方向他側面２Ｄから軸方向に突出させて支持体２に固着した削氷除去体を示す。７は該削氷除去体６を構成する鋼板製の刃板で、該刃板７は長方形の基部７Ａと、該基部７Ａの先端側に幅広に拡開した刃形成部７Ｂと、基部７Ａの基端側に穿設した２個のねじ穴７Ｃ、７Ｃとから形成してあり、止ねじ５によって支持体２に締着してある。また、刃板７には略中間から刃形成部７Ｂとの間にかけて幅方向両縁に沿って多数の係止孔７Ｄ、７Ｄ、・・が列設してあり、先端側の刃形成部７Ｂには半分の幅で逆向きに研削することにより逆向きの刃面８Ａ、８Ｂからなる回転切削刃８が形成してある。
【００１６】
９、９は削氷除去体６を構成し、前記刃板７の幅方向の一対の係止孔７Ｄ、７Ｄ、・・に螺合した一対のねじ溝掻き取り材を示す。該各ねじ溝掻き取り材９は弾性線材を螺旋状に成形したもので、前記各係止孔７Ｄに挿通して基部７Ａの両縁側に基端から先端に向けて右巻きに巻装してあり、その外周縁９Ａは前記刃形成部７Ｂの幅より若干外側に膨出している。かくして、ねじ溝掻き取り材９は、鞘管５３のねじ溝５３Ａとは同方向の右巻きの螺旋状に形成してある。
【００１７】
本実施の形態は上述の構成からなるもので、次にその作用について説明する。図５に示すように、先ず電動インパクトＥのチャックにトルク掛け軸４を確実に咬持させ、電動ドライバーＤによって切削除去体６を左回転させながら鞘管５３内に徐々に差し込む。鞘管５３の雌ねじ５３は右ねじで削氷除去体６の回転方向は逆であるが、ねじ溝掻き取り材９は弾性変形することで鞘管５３内に差し込むことができる。そして、回転切削刃８を回転させながら削氷除去体６を鞘管５３の奥部５３Ａまで差し込むことにより鞘管５３内の結氷Ｂを徐々に切削する。
【００１８】
鞘管５３内の結氷Ｂを切削したら削氷除去体６は徐々に引出す。この場合、ねじ溝掻き取り材９はねじ溝５３Ａと同じ右回転しながら引き出されることで、ねじ溝掻き取り材９はドライバー等では不可能であったねじ溝内の氷を確実に掻き出すことができる（図４参照）。そして、ねじ溝掻き取り材９は削氷Ｃを外側に送り出すが、支持体２の他側面２Ｄに削氷排出溝３を設けてあるので削氷Ｃが鞘管５３の開口端５３Ｃに溜まることなく順次排出することができる。
【００１９】
このように本実施の形態による結氷除去具１によれば、鞘管５３内の結氷Ｂは削氷除去体６の回転切削刃８によって切削し、ねじ溝内の氷はねじ溝掻き取り材９で掻き取り、外部に排出することができる。そして、鞘管５３内の結氷Ｂを確実に、かつ速やかに除去することができるので、足場ボルト５２を螺挿しても鞘管５３を損壊する事態を回避できるし、足場ボルト５２を電柱５１に確実に螺挿することができるので安全性を確保することができる。
【００２０】
なお、本実施の形態で削氷除去体６のねじ溝掻き取り材９は弾性線材を螺旋状に成形した構成にしたが、弾性線材を列設したワイヤブラシを刃板７に取着してねじ溝掻き取り材にしてもよい。
【００２１】
トルク掛け軸４と削氷除去体６は支持体２により軸方向に連結する構成にしたが、トルク掛け軸４と刃板７は金属材料を削り出し等の加工法により一体に成形してもよいものである。
【００２２】
実施の形態では電柱５１に足場ボルト５２を挿着する場合を挙げて説明したが、本発明は実施の形態に限られるものではなく、鞘管にボルトを螺挿する構造物に広く適用できるものである。
【符号の説明】
【００２３】
１      結氷除去具
４      トルク掛け軸
６      削氷除去体
７      刃板
８      回転切削刃
９      ねじ溝掻き取り材
【図１】
2015102272.tif 000003
【図２】
2015102272.tif 000004
【図３】
2015102272.tif 000005
【図４】
2015102272.tif 000006
【図５】
2015102272.tif 000007
【図６】
2015102272.tif 000008
【図７】
2015102272.tif 000009
【図８】
2015102272.tif 000010